(57)【要約】【課題】  便座の裏面に配置して、便座と便器本体との隙間から小便が漏れるのを防止することができるとともに、便座に容易に固定することができ、且つ長期の使用でも外れ難く、更に、商品としてもコンパクトで製造コストも低く抑えることができる便座用漏れ防止具を提供する。【解決手段】  本発明の便座用漏れ防止具１は、隙間を遮蔽するための可撓性を有する帯形状の遮蔽部１１と、遮蔽部を便座の裏面に設置するための可撓性を有する帯形状の設置部１２と、設置部の一方の面に積層されている粘着性を有する粘着層２０と、粘着層に剥離可能に積層されている剥離シート２１とを備え、遮蔽部１１と設置部１２とはそれぞれ長手方向において隣接しており、設置部１２と粘着層２０と剥離シート２１を備える帯形状の積層部分は、その帯形状の長手方向にわたって複数の切れ目３０を有する。【選択図】  図１
2020188900.tif 000002
【特許請求の範囲】
【請求項１】
便座の裏面に配置され、前記便座と便器本体との隙間から小便が漏れるのを防止するための便座用漏れ防止具であって、
前記隙間を遮蔽するための可撓性を有する帯形状の遮蔽部と、
前記遮蔽部を前記便座の裏面に設置するための可撓性を有する帯形状の設置部と、
前記設置部の一方の面に積層されている粘着性を有する粘着層と、
前記粘着層の前記設置部とは反対側の面に剥離可能に積層されている剥離シートと
を備え、前記遮蔽部と前記設置部とが、それぞれ前記帯形状の長手方向において隣接しており、
前記設置部、前記粘着層、および前記剥離シートを備える帯形状の積層部分が、その帯形状の長手方向にわたって複数の切れ目を有する便座用漏れ防止具。
【請求項２】
前記帯形状の積層部分が、前記遮蔽部側から、その帯形状の幅の全長の１０〜１８％の長さにわたって、前記切れ目の存在しないマージン部分を有する請求項１に記載の便座用漏れ防止具。
【請求項３】
前記設置部の前記粘着層が積層されている面と、それに隣接する前記遮蔽部の面との境界線に、溝を有する請求項１又は２に記載の便座用漏れ防止具。
【発明の詳細な説明】
【技術分野】
【０００１】
本発明は、便座用漏れ防止具に関する。
【背景技術】
【０００２】
便器は、通常、便器本体と、その上に、上げ下げ可能に設置された便座とを備える。便座の裏面には、一般に、複数の突出したクッション部が設けられており、このクッション部が、便座を下げた際に、便器本体の縁部上面に接する。このとき、便器本体の縁部上面と便座の裏面との間には、クッション部によって隙間が形成される。
【０００３】
このような便器を使用する際、便座に着座して排尿しても、通常であれば、上述した隙間から小便が漏れることはほとんどないが、小児や高齢者が使用する場合は、不手際が起こり易く、隙間から小便が漏れて、便器周りや使用者の衣服を汚してしまうことが多く発生し得るという問題がある。
【０００４】
このような問題を解決するために、例えば、特許文献１には、便器の排尿もれ防止装置として、便座の前端部下面に便器本体内へ垂下するとともに、便器本体の前縁曲部に沿って湾曲面状に形成された遮蔽板と、この遮蔽板の基端から直交に延び、遮蔽板を便座下面に貼付けるための接着層を有する取付面とを備えた装置が記載されている。特許文献２には、小便遺漏防止具として、合成樹脂などの可撓性を有するシート状（短冊状）の遮蔽部材と、この遮蔽部材の長手方向の一端縁に積層された接着剤層とを備えた防止具が記載されている。特許文献３には、排出された尿を受けて便器内に導く尿受け具として、便座下面に接着される接着部および接着部から延びる返し部と、これらに対して直交に延び、尿が当たる案内部とを備えた受け具が記載されている。
【先行技術文献】
【特許文献】
【０００５】
【特許文献１】実開昭６４−４１９７号公報
【特許文献２】特開平１１−６１９３８号公報
【特許文献３】特開２００１−１３７１５３号公報
【発明の概要】
【発明が解決しようとする課題】
【０００６】
しかしながら、上述した特許文献１に記載の便器の排尿もれ防止装置は、湾曲面状に形成された遮蔽板と、便座下面に貼付けられる接着層を有する取付面とが、直交するものであるから、このような３次元形状の装置では、プラスチック材料を金型で射出成形して製造する必要があり、金型作製などの製造コストが高く、また商品としてサイズもかさばるという問題がある。これらの問題は、接着部および返し部と、案内部とが直交するものである特許文献３に記載の尿受け具でも同様である。
【０００７】
一方、特許文献２に記載の小便遺漏防止具は、合成樹脂などの可撓性を有するシート状（短冊状）の遮蔽部材の長手方向の一端縁に接着剤層を積層させていることから、金型で射出成形することなく製造でき、製造コストが安く、また、商品として薄い形状であるが、接着剤層を便座の内側端面という非常に平らな面積が小さい箇所に取り付けることとなり、固定が困難であったり、固定できても長期の使用により外れ易いという問題がある。
【０００８】
そこで本発明は、上記の問題点に鑑み、便座に容易に固定することができ、且つ長期の使用でも外れ難く、また、商品としてもコンパクトで製造コストも低く抑えることができる便座用漏れ防止具を提供することを目的とする。
【課題を解決するための手段】
【０００９】
上記の目的を達成するために、本発明に係る、便座の裏面に配置され、前記便座と便器本体との隙間から小便が漏れるのを防止するための便座用漏れ防止具は、前記隙間を遮蔽するための可撓性を有する帯形状の遮蔽部と、前記遮蔽部を前記便座の裏面に設置するための可撓性を有する帯形状の設置部と、前記設置部の一方の面に積層されている粘着性を有する粘着層と、前記粘着層の前記設置部とは反対側の面に剥離可能に積層されている剥離シートとを備えるものであり、前記遮蔽部と前記設置部とは、それぞれ前記帯形状の長手方向において隣接しており、前記設置部、前記粘着層、および前記剥離シートを備える帯形状の積層部分は、その帯形状の長手方向にわたって複数の切れ目を有する。
【００１０】
前記帯形状の積層部分は、前記遮蔽部側から、その帯形状の幅の全長の１０〜１８％の長さにわたって、前記切れ目の存在しないマージン部分を有することが好ましい。
【００１１】
また、前記設置部の前記粘着層が積層されている面と、それに隣接する前記遮蔽部の面との境界線には、溝を有することが好ましい。
【発明の効果】
【００１２】
このように本発明によれば、本発明の便座用漏れ防止具は、隙間を遮蔽するための可撓性を有する帯形状の遮蔽部と、遮蔽部を便座の裏面に設置するための可撓性を有する帯形状の設置部とが、それぞれ帯形状の長手方向において隣接しており、また、設置部の一方の面に、粘着性を有する粘着層と、粘着層から剥離可能の剥離シートが順に積層されており、この設置部と粘着層と剥離シートを備える帯形状の積層部分が、その帯形状の長手方向にわたって複数の切れ目を有することから、この便座用漏れ防止具を使用する際に、遮蔽部と設置部とが約９０度の角度をなすように折り曲げることができ、また、遮蔽部を長手方向に湾曲させると、設置部と粘着層と剥離シートを備える帯形状の積層部分は、複数の切れ間を介して複数の矩形に分割され、放射状に広がることから、遮蔽部を便座の内周の形状に合わせて容易に湾曲させることができる。よって、本発明の便座用漏れ防止具は、剥離シートを剥がすことで、便座に容易に固定することができ、また、複数の矩形の粘着層で便座裏面に固定されることから、長期の使用でも外れ難く、更に、帯形状の遮蔽部と設置部とは平面状に形成されており、商品として流通する間に必ずしも直交させておく必要がないことから、商品としてコンパクトで製造コストも低く抑えることができる。
【００１３】
また、前記帯形状の積層部分が、遮蔽部側から、その帯形状の幅の全長の１０〜１８％の長さにわたって、切れ目の存在しないマージン部分を有することで、便座用漏れ防止具を使用する際に、剥離シートを粘着層から一度に全て剥がすことができるとともに、遮蔽部を便座の形状に合わせて容易に湾曲させることができる。
【００１４】
更に、設置部の粘着層が積層されている面と、それに隣接する遮蔽部の面との境界線に、溝を有することで、平面状に形成された帯形状の遮蔽部と設置部とが、約９０度の角度をなすように容易に折り曲げることができる。
【図面の簡単な説明】
【００１５】
【図１】本発明に係る便座用漏れ防止具の一実施の形態に示す斜視図である。
【図２】図１に示す便座用漏れ防止具の裏面図である。
【図３】図１に示す便座用漏れ防止具の側面図である。
【図４】図１に示す便座用漏れ防止具の使用態様を示す斜視図である。
【図５】図１に示す便座用漏れ防止具を便器の便座裏面に貼った状態を示す斜視図である。
【図６】図１に示す便座用漏れ防止具を貼った状態の便器の使用態様を説明する一部断面の側面図である。
【発明を実施するための形態】
【００１６】
以下、添付図面を参照して、本発明に係る便座用漏れ防止具の一実施の形態について説明する。
【００１７】
図１〜図４に示すように、本実施の形態の便座用漏れ防止具１は、便器本体と便座との隙間を遮蔽するための帯形状の遮蔽部１１と、この遮蔽部１１の長手方向に沿って位置し、遮蔽部を便座の裏面に設置するための帯形状の設置部１２と、この設置部１２の一方の面に積層されている粘着性を有する粘着層２０と、この粘着層２０の設置部とは反対側の面（すなわち外側面）に剥離可能に積層されている剥離シート２１とを主に備えている。
【００１８】
遮蔽部１１と設置部１２は、可撓性を有する合成樹脂材１０により一体的に構成されている。合成樹脂材１０としては、例えば、ポリプロピレンや、ポリエチレンテレフタレート、ポリカーボネートなどが好ましい。遮蔽部１１は、例えば、長手方向が１８０〜２２０ｍｍ、幅方向が１０〜２０ｍｍの帯形状の形状を有することが好ましく、長手方向が１９０〜２１０ｍｍ、幅方向が１３〜１７ｍｍの帯形状の形状を有することがより好ましい。設置部１２は、例えば、長手方向が１８０〜２２０ｍｍ、幅方向が１０〜２０ｍｍの帯形状の形状を有することが好ましく、長手方向が１９０〜２１０ｍｍ、幅方向が１３〜１７ｍｍの帯形状の形状を有することがより好ましい。
【００１９】
遮蔽部１１と設置部１２はどちらも厚さは０．５〜１．５ｍｍが好ましく、０．８〜１．０ｍｍがより好ましい。このような厚さであれば、遮蔽部１１を自由に湾曲させることができるとともに、便座用漏れ防止具１を取り付けようとする便座に対して便座用漏れ防止具１が長すぎる場合に、便座用漏れ防止具１の端部をハサミで容易に切断でき、長さを調節することができる。遮蔽部１１と設置部１２の厚さは、同じとすることが好ましく、これにより一枚の合成樹脂材１０から遮蔽部１１と設置部１２を容易に形成することができる。
【００２０】
遮蔽部１１と設置部１２は、互いの面で約９０度の角度をなすように配置されている。遮蔽部１１の２つの面のうち、設置部１２に約９０度の角度で向き合う側を裏面１１ｂと呼び、その反対側を遮蔽面１１ａと呼ぶ。また、設置部１２の２つの面のうち、遮蔽部１１に約９０度の角度で向き合う側を裏面１２ｂと裏面と呼び、その反対側を設置面１２ａと呼ぶ。遮蔽部１１と設置部１２が約９０度の角度をなして容易に折り曲がるようにするため、例えば、合成樹脂材１０の遮蔽部１１の遮蔽面１１ａと設置部１２の設置面１２ａとの境界線に溝（図示省略）を設けてもよい。また、遮蔽部１１の遮蔽面１１ａを抗菌加工してもよい。
【００２１】
設置部１２の設置面１２ａ全面には、粘着性を有する粘着層２０と、更にその外側に剥離シート２１が積層されている。粘着層２０としては、遮蔽部１１を湾曲させた状態で設置部２０を便座の裏面に固定することができる粘着性能を有する粘着剤を用いて形成する。このような粘着剤としては、例えば、ポリエステル系、ウレタン系、ポリ酢酸ビニル系、アクリル系、シリコーン系、またはニトリルゴム系の粘着剤を用いることが好ましい。剥離シート２１としては、粘着層２０の粘着性を保護することができ、且つ粘着層２０から容易に剥離することできる性質のプラスチックシートを用いる。このようなプラスチックシートとしては、例えば、アクリル系、ポリカーボネート系、ポリアリレート系、ポリエチレンナフタレート系、ポリエチレンテレフタレート系、またはフッ素樹脂系のプラスチックシートを用いることが好ましい。
【００２２】
設置部１２と粘着層２０と剥離シート２１とからなる帯形状の積層部分は、帯形状の長手方向にわたって複数の切れ目３０を有する。切れ目３０は、設置部１２の裏面１２ｂから剥離シート２１の表面までを貫通するものである。これにより、図４に示すように、遮蔽部１１を遮蔽面１１ａが凹状になるように湾曲させた際に、帯形状の積層部分は、切れ目３０によって複数の矩形の積層体３１に分割され、放射状に広がることとなる。切れ目３０の数は、特に限定されないが、便座の形状に合わせて遮蔽部１１を湾曲できるように、例えば、１０〜３０個とすることが好ましく、１２〜２０個とすることがより好ましい。また、切れ目３０は、図２に示すように、帯形状の積層部分の幅Ｗの全長にわたり設けるのではなく、剥離部１１側に切れ目３０の存在しないマージン部分Ｍを残す。マージン部分Ｍの長さは、帯形状の積層部分の幅Ｗの全長の１０〜１８％が好ましく、１２〜１６％がより好ましく、１３〜１４％が更に好ましい。切れ目３０は、図１、図２では、カッター等の切断器具による実質的に線状の切り幅（切れ目３０の切り幅が、隣接する一方の矩形の積層体３１の長さに対して約５％）を示したが、本発明はこれに限定されず、より大きな切り幅の切れ目を設けてもよい。
【００２３】
このようにマージン部分Ｍを残して、設置部１２と粘着層２０と剥離シート２１とからなる帯形状の積層部分に切れ目３０を設けることで、便座用漏れ防止具１を使用する際に、剥離シート２１を粘着層２０から一度に全て剥がすことができるとともに、図４に示すように、遮蔽部１１を便座の形状に合わせて遮蔽面１１ａが凹状になるように湾曲させることができる。
【００２４】
このような構成を備える便座用漏れ防止具１の使用方法について説明する。便座用漏れ防止具１を便器に取り付けるために、先ず、便座用漏れ防止具１の粘着層２０の表面を覆う剥離シート２１を剥がす。この際、帯形状の剥離シート２１の４つの隅のうち、剥離面１１ａ側の２つの隅のどちらかから剥離シート２１をめくることで、複数の切れ目３０があっても、一度に剥離シート２１を粘着層２０から容易に剥がすことができる。そして、図５に示すように、便座用漏れ防止具１を取り付ける便器５０の蓋５３および便座５１を便器本体５４から上げて、便座５１の裏面に、便座用漏れ防止具１の設置部１２の粘着層２０を貼り付ける。
【００２５】
この際、便座５１の内周の形状に合わせて、便座用漏れ防止具１の遮蔽面１１ａが凹状になるように遮蔽部１１を湾曲させて、便座５１の裏面から突出して設けられているクッション部５２よりも内周側の位置に、放射状に広がる複数の矩形の積層体３１の各粘着層２０を貼っていくことで、便座５１と便器本体５４との隙間を遮蔽部１１が遮蔽するように便座用漏れ防止具１を便器５０に取り付けることができる。
【００２６】
そして、このように便器５０に便座用漏れ防止具１を取り付けることで、図６に示すように、使用者６０が便座５１に着座して排尿するとき、便座５１と便器本体５４との隙間に尿６１が向けられても、尿６１は便座用漏れ防止具１の遮蔽部１１の遮蔽面１１ａに当たり、便器本体５４内に留まる。よって、便座５１と便器本体５４との隙間から尿６１が外へ漏れることを防ぐことができ、便器周辺や使用者の衣服が尿により汚れることを防ぐことができる。
【００２７】
なお、図５、図６では、温水洗浄装置５５が付いた便器５０を示しており、このような便器５０では、洗浄ノズル（図示省略）から放出された温水が使用者６０に当たった後に広く飛散する場合があるが、便座用漏れ防止具１が取り付けてあれば、その遮蔽面１１ａで遮蔽した便座５１と便器本体５４との隙間に関しては、飛散した温水が便器の外へ漏れるのを防ぐことができる。もちろん、本発明の便座用漏れ防止具は、このような温水洗浄装置５５が付いた便器５０に限定されず、便座を備えた洋式便器に広く使用することができる。
【実施例】
【００２８】
便座用漏れ防止具を実際に作製して試験を行った。合成樹脂材として厚さ１ｍｍ、長さ２００ｍｍ、幅３０ｍｍの長方形のポリプロピレン材を用意し、治具を用いて、幅方向の中心位置で長手方向に沿ってポリプロピレン材を約９０度に折り曲げた。これにより、幅１５ｍｍの帯形状の遮蔽部と、長さ２００ｍｍ、幅１５ｍｍの帯形状の設置部とを一体的に作製した。そして、設置面の外側表面の全面に、剥離テープを備えたアクリル系の両面粘着性テープ（積水化学社製）を貼った。そして、設置部の端から幅方向に向かって１３ｍｍの長さにわたり、剥離テープを備えた両面粘着性テープと設置部の両方を、ニッパー（ＫＥＩＢＡ社製）、カッター（ＯＬＦＡ社製）及び治具で切断して、切り目を設けた。切り目は、設置部の長手方向にわたってほぼ均等に１９箇所に設けた。
【００２９】
このようにして作製した便座用漏れ防止具は、遮蔽部と設置部が容易に約９０度の角度をなすように合成樹脂材を容易に折り曲げることができた。また、設置面の幅１５ｍｍに対して切り目の長さを１３ｍｍとし、設置面の遮蔽部側に、切り目の存在しないマージン部分を２ｍｍ（設置面の幅に対して約１３％）の幅で設けたことから、剥離テープを両面粘着性テープから剥がす際に、途中で千切れずに一度に容易に剥がすことができたとともに、遮蔽部の遮蔽面を便器の内周の形状に合わせて容易に湾曲させることができた。
【００３０】
そして、この便座用漏れ防止具を便座の裏面に取り付ける前後の便器を、実際に、幼児に使用させたところ、便座用漏れ防止具を取り付ける前の便器では、幼児が便座の奥に座ることができないことから、尿が便座と便器本体の隙間から漏れることが頻繁に繰り返されていたところ、便座用漏れ防止具を取り付けた後の便器では、便座用漏れ防止具の遮蔽面に尿が当たり、便座と便器本体との隙間を介して便器の外へ尿が漏れるのを防止することができたことを確認した。
【００３１】
なお、マージン部分を３ｍｍ（設置面の幅に対して２０％）の幅で設けた点を除き、上記と同様にして便座用漏れ防止具を作製した。この便座用漏れ防止具では、剥離テープを両面粘着性テープから剥がす際に、途中で千切れずに一度に容易に剥がすことができたものの、遮蔽部の遮蔽面を便器の内周の形状に合わせて湾曲させるのは困難であった。
【００３２】
また、切れ目を設置面の全幅に対して設けた点を除き、上記と同様にして便座用漏れ防止具を作製した。この便座用漏れ防止具では、遮蔽部の遮蔽面を便器の内周の形状に合わせて容易に湾曲させることができたものの、剥離テープを両面粘着性テープから剥がす際に、剥離テープは切れ目で切れていることから、剥離テープを両面粘着性テープから剥がす作業を２０回も行うことになり、便座用漏れ防止具を便座に取り付けるための作業が非常に煩わしいものであった。
【符号の説明】
【００３３】
１    便座用漏れ防止具
１０  合成樹脂材
１１  遮蔽部
１１ａ  遮蔽面
１２  設置部
２０  粘着層
２１  剥離シート
３０  切れ目
５０  便器
５１  便座
５２  クッション部
５３  蓋
５４  便器本体
５５  温水洗浄装置
６０  使用者
６１  尿
【図１】
2020188900.tif 000003
【図２】
2020188900.tif 000004
【図３】
2020188900.tif 000005
【図４】
2020188900.tif 000006
【図５】
2020188900.tif 000007
【図６】
2020188900.tif 000008